(57)【要約】      （修正有）【課題】室内から出るゴミを、１ヶのゴミ箱の中で紙、ビニール、缶の３種類に分別保管し、容易に回収作業に出す事のできる室内用３色分別式ゴミ箱の提供。【解決手段】蓋を３色に色分５、紙、ビニール、缶３種類を文字表示しゴミの分別の仕方を指示した１ヶのゴミ箱１に、３つのビニール袋３をかけその中にゴミを分別保管しておく。回収指定日に従ってそのゴミを取り出し回収作業に出す。こうする事によって、１ヶのゴミ箱４でゴミの発生から回収、最終処分の焼却、埋立、再生の分別作業が正確容易に出来る。【選択図】図１
0003118302.tif 000002
【実用新案登録請求の範囲】
【請求項１】
ゴミ箱の蓋▲１▼にある袋かけ用突起▲２▼に３つのビニール袋▲３▼をかけ、紙、ビニール、缶３種類のゴミを表示▲６▼分別保管する蓋を３色に色分け▲５▼した１ケの室内用ゴミ箱▲４▼。
【考案の詳細な説明】
【考案の詳細な説明】
【０００１】〔考案の属する技術分野〕
この考案は、室内から出る紙、ビニール、缶３種類のゴミを分別→保管→回収→焼却、埋立、再生の各作業を正確にする事に関するものである。
【０００２】〔従来の技術〕
従来案内では、各種のゴミは１個のゴミ箱にそのまゝ混在して入れるか、大小のゴミ箱をかさねたりして適当に仕分けされて回収作業に出されている。
【０００３】〔発明が解決しようとする課題〕
これには次のような欠点があった。
出されるゴミが可燃、埋立、再生ゴミの３種類に正確に分別されないまゝゴミ処分場に持ち込まれている。
【０００４】〔課題を解決する手段〕
ゴミ箱の蓋▲１▼にある袋かけ用突起▲２▼に３つのビニール袋▲３▼をかけそれぞれの袋に紙、ビニール、缶のゴミを分けて分別保管−回収に出す。
本発明は以上のような構成からなるゴミ箱である。
【０００５】〔発明の実施の形態〕
Ａ色は紙、Ｂ色はビニール、Ｃ色は缶と色分▲５▼と文字表示▲６▼をしゴミの分別の仕方を指示したゴミ箱の蓋▲１▼にもうけた袋かけ用突起▲２▼に３つのビニール袋▲３▼をかけその中にそれぞれのゴミを入れて分別保管する。指定された日に従ってゴミを入れたビニール袋を取り出しそのまゝ回収作業に出す。
【０００６】〔発明の効果〕
日常出る多種多様のゴミを、３色の色別と分類の文字表示でゴミの分別をわかりやすく指示、混在しない様ビニール袋できちんと分別保管してあるので、ゴミの発生から分別、保管−回収、焼却、埋立、再生の最終処分までの各作業が正確、確実に出来る。
【０００７】また、３種類のゴミはきちんとビニール袋で分別保管してあるので、その回収の指定日に誰でも簡単に正確にゴミを取り出して回収作業に出せる。
【図１】
0003118302.tif 000003
【手続補正書】
【提出日】平成17年7月4日(2005.7.4)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の蓋▲１▼にある４つのビニール袋かけ用突起▲２▼に３枚のビニール袋▲３▼をかけその中にそれぞれ紙、ビニール、ビン・缶の３種類のゴミを分別して入れ室内用ゴミ箱▲４▼で保管する。
紙、ビニール、ビン・缶３種類のゴミを文字で表示▲６▼分別保管するゴミ箱の蓋▲１▼を３色に色分け▲５▼した１ヶの室内用３色分別式ゴミ箱
【手続補正２】
【補正対象書類名】明細書
【補正対象項目名】全文
【補正方法】変更
【補正の内容】
【考案の詳細な説明】
【技術分野】
【０００１】この考案は、環境問題に関する産業分野の、一般ゴミの処理方法に関するもので、室内でのゴミの発生→分野→保管→回収→焼却→埋立、再生の各作業に関する技術分野のものである。
【発明の効果】
【０００６】居間、台所、事務所等から出るゴミを、本発明は、ゴミの出る瞬間から３種類に分別し保管する効果がある。
例えば、事務所で机に座ったまゝ、紙くず、ボールペンの金属、プラスチック部分をそれぞれのビニール袋に捨てれば良く、従来の様に、１個のゴミ箱に一度ゴミを混載し、それを外に持ち出し新ためて分別箱に分ける手間、作業をしなくて済む。
本発明は、分別作業のために手袋をしたり、火バシを使ったりする手間が除ける効果がある。
【図面の簡単な説明】
【０００７】
【図１】  室内用３色分別ゴミ箱の完成図
【図２】  ゴミ箱の蓋▲１▼とビニール袋かけ用突起▲２▼、ビニール袋▲３▼の位置関係図
【図３】  ビニール袋かけ用突起の型状
【手続補正３】
【補正対象書類名】図面
【補正対象項目名】全図
【補正方法】変更
【補正の内容】
【図１】
0003118302.tif 000004
【図２】
0003118302.tif 000005
【図３】
0003118302.tif 000006
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
ゴミ箱の蓋１にある４つのビニール袋かけ用突起２に３枚のビニール袋３をかけその中にそれぞれ紙、ビニール、ビン・缶の３種類のゴミを分別して入れ室内用ゴミ箱４で保管するものであって、紙、ビニールビン・缶３種類のゴミを文字で表示６、分別保管する、ゴミ箱の蓋１を３等分に分けた１ヶの室内用３分別式ゴミ箱
【手続補正２】
【補正対象書類名】明細書
【補正対象項目名】全文
【補正方法】変更
【補正の内容】
【考案の詳細な説明】
【技術分野】
【０００１】この考案は、室内から出る紙、ビニール、ビン・缶の３種のゴミを分別→保管→回収→焼却、埋立、再生の各作業を正確にする事に関するものである。
【背景技術】
【０００２】従来室内では、各種のゴミは１個のゴミ箱にそのまゝ混在して入れるか、大小のゴミ箱をかさねたりして適当に仕分けされて回収作業に出されている。
【考案が解決しようとする課題】
【０００３】これには次のような欠点があった。
出されるゴミが可燃、埋立、再生ゴミの３種類に正確に分別されないまゝゴミ処分場に持ち込まれている。
【課題を解決する手段】
【０００４】ゴミ箱の蓋１にある袋かけ用突起２に３つのビニール袋３をかけそれぞれの袋に紙、ビニール、ビン・缶の３種類のゴミを分けて分別保管→回収に出す。
本発明は以上のような構成からなるゴミ箱である。
【考案を実施するための最良の形態】
【０００５】ゴミ箱４に紙、ビニール、ビン・缶と文字表示６をしゴミの分別の仕方を指示、ゴミ箱の蓋１にもうけた袋かけ用突起２に３つのビニル袋３をかけその中にそれぞれのゴミを入れて分別保管する。
指定された日に従ってゴミを入れたビニール袋を取り出しそのまゝ回収作業に出す。
【考案の効果】
【０００６】日常出る多種多様なゴミを蓋１の投入口を３等分し、文字表示６でゴミの分別をわかりやすく指示、混在しない様ビニール袋できちんと分別保管してあるので、ゴミの発生→分別→保管→回収→焼却、埋立、再生の最終処分までの各作業が正確、確実に出来る。
【図面の簡単な説明】
【０００７】
【図１】  室内用３色分別ゴミ箱の完成図
【図２】  ゴミ箱の蓋▲１▼とビニール袋かけ用突起▲２▼、ビニール袋▲３▼の位置関係図
【図３】  ビニール袋かけ用突起の型状
【手続補正３】
【補正対象書類名】図面
【補正対象項目名】全図
【補正方法】変更
【補正の内容】
【図１】
0003118302.tif 000007
【図２】
0003118302.tif 000008
【図３】
0003118302.tif 000009